(57)【要約】【課題】ユーザの意志を反映させてインデックスプリントを作成したり、ＣＤを作成したりできるようにする。【解決手段】メモリカード２から読み出された複数の画像から、画像属性取得部３２が画像属性を取得する。出力態様変更部３４が、各画像の画像属性に基づいて、複数の画像をインデックスプリントする際のプリントの態様および／または複数の画像をＣＤ等の記録媒体に記録する際の記録の態様を変更する。プリンタ１０が、プリントの態様が変更された場合には変更された態様にて複数の画像を並べたインデックスプリントを出力する。記録の態様が変更された場合には、ＣＤドライブ８が、変更された態様にて画像属性とともに複数の画像を記録媒体に記録する。【選択図】図２
2007216487.tif 000002
【特許請求の範囲】
【請求項１】
複数の画像の入力を受け付ける画像入力手段と、
前記複数の画像のそれぞれに付与された画像属性を取得する画像属性取得手段と、
前記各画像の画像属性に基づいて、前記複数の画像をインデックスプリントする際のプリントの態様および／または前記複数の画像を記録媒体に記録する際の記録の態様を変更する出力態様変更手段と、
前記プリントの態様が変更された場合には前記変更された態様にて前記複数の画像を並べたインデックスプリントを出力し、前記プリントの態様が変更されなかった場合には前記複数の画像を並べたインデックスプリントを出力するインデックスプリント手段と、
前記記録の態様が変更された場合には、前記変更された態様にて前記画像属性とともに前記複数の画像を記録媒体に記録し、前記記録の態様が変更されなかった場合には前記複数の画像を前記記録媒体に記録する画像記録手段とを備えたことを特徴とする画像出力装置。
【請求項２】
前記画像属性が画像の隠し属性を含む場合において、前記出力態様変更手段は、前記隠し属性が付与された画像について、前記インデックスプリントには含めないように前記プリントの態様を変更する手段であることを特徴とする請求項１記載の画像出力装置。
【請求項３】
前記画像属性が画像の隠し属性を含む場合において、前記出力態様変更手段は、前記隠し属性が付与された画像について、前記記録媒体への記録には含めないように前記記録の態様を変更する手段であることを特徴とする請求項１または２記載の画像出力装置。
【請求項４】
前記画像属性が過去に行われたプリント出力結果を表すプリント属性を含む場合において、前記出力態様変更手段は、前記プリント属性が付与された画像を拡大して前記インデックスプリントに含めるよう、前記プリントの態様を変更する手段であることを特徴とする請求項１から３のいずれか１項記載の画像出力装置。
【請求項５】
前記画像属性が画像の回転を表す回転属性を含む場合において、前記出力態様変更手段は、前記回転属性が付与された画像を回転して前記インデックスプリントに含めるよう、前記プリントの態様を変更する手段であることを特徴とする請求項１から４のいずれか１項記載の画像出力装置。
【請求項６】
前記画像属性が画像の回転を表す回転属性を含む場合において、前記出力態様変更手段は、前記回転属性が付与された画像を回転して前記記録媒体に記録するよう前記記録の態様を変更する手段であることを特徴とする請求項１から５のいずれか１項記載の画像出力装置。
【請求項７】
前記画像属性が画像の隠し属性を含む場合において、前記画像記録手段は、前記隠し属性が付与された画像について、あらかじめ指定された、該隠し属性を解除するパスワードとともに前記記録媒体に記録する手段であることを特徴とする請求項１から６のいずれか１項記載の画像出力装置。
【請求項８】
複数の画像の入力を受け付け、
前記複数の画像のそれぞれに付与された画像属性を取得し、
前記各画像の画像属性に基づいて、前記複数の画像をインデックスプリントする際のプリントの態様および／または前記複数の画像を記録媒体に記録する際の記録の態様を変更し、
前記プリントの態様が変更された場合には前記変更された態様にて前記複数の画像を並べたインデックスプリントを出力し、前記プリントの態様が変更されなかった場合には前記複数の画像を並べたインデックスプリントを出力し、
前記記録の態様が変更された場合には、前記変更された態様にて前記画像属性とともに前記複数の画像を記録媒体に記録し、前記記録の態様が変更されなかった場合には前記複数の画像を前記記録媒体に記録することを特徴とする画像出力方法。
【請求項９】
複数の画像の入力を受け付ける手順と、
前記複数の画像のそれぞれに付与された画像属性を取得する手順と、
前記各画像の画像属性に基づいて、前記複数の画像をインデックスプリントする際のプリントの態様および／または前記複数の画像を記録媒体に記録する際の記録の態様を変更する手順と、
前記プリントの態様が変更された場合には前記変更された態様にて前記複数の画像を並べたインデックスプリントを出力し、前記プリントの態様が変更されなかった場合には前記複数の画像を並べたインデックスプリントを出力する手順と、
前記記録の態様が変更された場合には、前記変更された態様にて前記画像属性とともに前記複数の画像を記録媒体に記録し、前記記録の態様が変更されなかった場合には前記複数の画像を前記記録媒体に記録する手順とを有することを特徴とする画像出力方法をコンピュータに実行させるためのプログラム。
【発明の詳細な説明】
【技術分野】
【０００１】
本発明は、複数の画像を並べたインデックスプリントをプリント出力したり、複数の画像をＣＤやＤＶＤ等の記録媒体に記録する画像出力装置および方法並びに画像出力方法をコンピュータに実行させるためのプログラムに関するものである。
【背景技術】
【０００２】
デジタルカメラにより取得した画像をプリント出力するプリントサービスが提供されている。このようなプリントサービスにおいては、例えば特許文献１に記載されているようにプリントが行われる。すなわち、ユーザが自身のパソコンにおいて、ビューアソフトを用いてプリント出力する画像を指定するとともに、プリント枚数およびプリントサイズ等の注文内容を表す注文情報を作成し、注文情報をプリント出力する画像とともにメモリカード等のメディアに記録して写真店に持参する。写真店においては、写真店の店頭に設置された注文受付装置にメディアをセットし、画面に現れる指示にしたがって操作を行うことにより、写真店のプリンタから注文情報により表される注文内容したがって画像がプリント出力される。
【０００３】
また、メディアに記録されている画像をＣＤに記録する注文を行うことにより、画像のバックアップを行うことも可能である。このような場合、メディアに記録されたすべての画像の一覧を並べたインデックスプリントが作成される場合がある。この場合、インデックスプリントを参照すれば、ＣＤにどのような画像が記録されているかを一見して知ることができる。
【特許文献１】特開２００４−３４５９７号公報
【発明の開示】
【発明が解決しようとする課題】
【０００４】
しかしながら、上述したプリントサービスにおいて、注文情報により表される注文内容が反映されるのはプリント出力に関してのみであり、インデックスプリントに含められたり、ＣＤに記録されるのはメディアに記録されているすべての画像となっている。このため、ユーザが他人に見られたくないような画像や、撮影に失敗した画像もインデックスプリントに含められたりＣＤに記録されたりしてしまうことから、ユーザが所望とするようにインデックスプリントを作成したり、ＣＤを作成したりすることができなかった。
【０００５】
本発明は上記事情に鑑みなされたものであり、ユーザの意志を反映させてインデックスプリントを作成したり、ＣＤを作成できるようにすることを目的とする。
【課題を解決するための手段】
【０００６】
本発明による画像出力装置は、複数の画像の入力を受け付ける画像入力手段と、
前記複数の画像のそれぞれに付与された画像属性を取得する画像属性取得手段と、
前記各画像の画像属性に基づいて、前記複数の画像をインデックスプリントする際のプリントの態様および／または前記複数の画像を記録媒体に記録する際の記録の態様を変更する出力態様変更手段と、
前記プリントの態様が変更された場合には前記変更された態様にて前記複数の画像を並べたインデックスプリントを出力し、前記プリントの態様が変更されなかった場合には前記複数の画像を並べたインデックスプリントを出力するインデックスプリント手段と、
前記記録の態様が変更された場合には、前記変更された態様にて前記画像属性とともに前記複数の画像を記録媒体に記録し、前記記録の態様が変更されなかった場合には前記複数の画像を前記記録媒体に記録する画像記録手段とを備えたことを特徴とするものである。
【０００７】
なお、本発明による画像出力装置においては、前記画像属性が画像の隠し属性を含む場合において、前記出力態様変更手段を、前記隠し属性が付与された画像について、前記インデックスプリントには含めないように前記プリントの態様を変更する手段としてもよい。
【０００８】
また、本発明による画像出力装置においては、前記画像属性が画像の隠し属性を含む場合において、前記出力態様変更手段を、前記隠し属性が付与された画像について、前記記録媒体への記録には含めないように前記記録の態様を変更する手段としてもよい。
【０００９】
また、本発明による画像出力装置においては、前記画像属性が過去に行われたプリント出力結果を表すプリント属性を含む場合において、前記出力態様変更手段を、前記プリント属性が付与された画像を拡大して前記インデックスプリントに含めるよう、前記プリントの態様を変更する手段としてもよい。
【００１０】
また、本発明による画像出力装置においては、前記画像属性が画像の回転を表す回転属性を含む場合において、前記出力態様変更手段を、前記回転属性が付与された画像を回転して前記インデックスプリントに含めるよう、前記プリントの態様を変更する手段としてもよい。
【００１１】
また、本発明による画像出力装置においては、前記画像属性が画像の回転を表す回転属性を含む場合において、前記出力態様変更手段を、前記回転属性が付与された画像を回転して前記記録媒体に記録するよう前記記録の態様を変更する手段としてもよい。
【００１２】
また、本発明による画像出力装置においては、前記画像属性が画像の隠し属性を含む場合において、前記画像記録手段を、前記隠し属性が付与された画像について、あらかじめ指定された、該隠し属性を解除するパスワードとともに前記記録媒体に記録する手段としてもよい。
【００１３】
本発明による画像出力方法においては、複数の画像の入力を受け付け、
前記複数の画像のそれぞれに付与された画像属性を取得し、
前記各画像の画像属性に基づいて、前記複数の画像をインデックスプリントする際のプリントの態様および／または前記複数の画像を記録媒体に記録する際の記録の態様を変更し、
前記プリントの態様が変更された場合には前記変更された態様にて前記複数の画像を並べたインデックスプリントを出力し、前記プリントの態様が変更されなかった場合には前記複数の画像を並べたインデックスプリントを出力し、
前記記録の態様が変更された場合には、前記変更された態様にて前記画像属性とともに前記複数の画像を記録媒体に記録し、前記記録の態様が変更されなかった場合には前記複数の画像を前記記録媒体に記録することを特徴とするものである。
【００１４】
なお、本発明による画像出力方法をコンピュータに実行させるためのプログラムとして提供してもよい。
【発明の効果】
【００１５】
本発明によれば、画像に付与された画像属性に基づいて、複数の画像をインデックスプリントする際のプリントの態様および／または複数の画像を記録媒体に記録する際の記録の態様を変更し、プリントの態様が変更された場合には変更された態様にて複数の画像を並べたインデックスプリントを出力し、記録の態様が変更された場合には変更された態様にて画像属性とともに複数の画像を記録媒体に記録するようにしたものである。このため、画像を所有するユーザは画像の画像属性を指定しておくことにより、ユーザの意志を反映させて、インデックスプリントを作成したり、ＣＤを作成したりすることができる。
【００１６】
とくに、画像属性を画像の隠し属性を含むものとした場合において、隠し属性が付与された画像については、インデックスプリントに含めないようにプリントの態様を変更することにより、撮影に失敗した画像や他人に見せたくない画像に隠し属性を付与しておけば、そのような画像がインデックスプリントに含められることがなくなり、その結果、そのような画像が他人に見られてしまうことを防止することができる。
【００１７】
また、画像属性を画像の隠し属性を含むものとした場合において、隠し属性が付与された画像については、記録媒体の記録に含めないように記録の態様を変更することにより、撮影に失敗した画像や他人に見せたくない画像に隠し属性を付与しておけば、そのような画像が記録媒体に記録されてしまうことがなくなり、その結果、画像を再生した際にそのような画像が他人に見られてしまうことを防止することができる。
【００１８】
ところで、過去にプリント出力を行った画像は、ユーザが重要であると考えている画像であることが多い。このため、画像属性を過去に行われたプリント出力結果を表すプリント属性を含むものとした場合において、プリント属性が付与された画像を拡大してインデックスプリントに含めるようにプリントの態様を変更することにより、ユーザが重要と考える画像が目立つようにインデックスプリントを作成することができる。
【００１９】
また、縦長の画像については正視できるように回転することが多い。このため、画像属性を画像の回転を表す回転属性を含むものとした場合において、回転属性が付与された画像を回転してインデックスプリントに含めるようにプリントの態様を変更することにより、縦長の画像であってもインデックスプリントにおいて正視することが可能となる。
【００２０】
また、画像属性を画像の回転を表す回転属性を含むものとした場合において、回転属性が付与された画像を回転して記録媒体に記録するよう記録の態様を変更することにより、縦長の画像であっても記録媒体に記録された画像を再生した際に、回転する作業を行うことなく、正視することが可能となる。
【００２１】
ところで、本発明においては、画像属性が画像の隠し属性を含む場合において、記録の態様が変更されなかった場合には画像属性とともに複数の画像が記録媒体に記録される。このため、記録媒体に記録された画像を再生する際に画像属性を参照することにより、隠し属性が付与された画像については、再生を行わないようにすることができる。その一方で隠し属性が付与された画像について、隠し属性を解除して再生を行うようにすることも可能であるが、自由に隠し属性を解除できるようにしてしまうと、他人に見せたくない画像が他人に見られてしまう可能性がある。
【００２２】
このため、隠し属性が付与された画像については、あらかじめ指定された隠し属性を解除するパスワードとともに記録媒体に記録することにより、パスワードを知る者のみが隠し属性を解除できることとなるため、ユーザが隠し属性を指定した画像が他人に見られてしまうことを防止することができる。
【発明を実施するための最良の形態】
【００２３】
以下、図面を参照して本発明の実施形態について説明する。図１は本発明の第１の実施形態による画像出力装置を適用した注文受付装置の外観斜視図である。図１に示すように、本実施形態による注文受付装置１は、ユーザによる画像のＣＤへの記録およびプリント出力等の注文を受け付けるために写真店の店頭に設置されてなるものであり、画像が記録された各種メモリカード２を装填し、メモリカード２から画像を読み出したり、メモリカード２に画像を記録したりするための複数種類のカードスロット４と、注文のための各種表示を行う表示部６とを備え、写真店に設置されたＣＤドライブ８およびプリンタ１０と接続されている。なお、表示部６はタッチパネル式の入力部を備え、ユーザはモニタ６の表示にしたがって表示部６にタッチすることにより、注文に必要な入力を行うことができる。
【００２４】
ここで、本実施形態においては、写真店は、ユーザが画像のＣＤへの記録の注文を行った場合に、ＣＤに記録した画像のサムネイル画像を並べたインデックスプリントをプリント出力して、画像を記録したＣＤとともにユーザに渡すサービスを提供するものである。
【００２５】
図２は本発明の実施形態による注文受付装置の構成を示す概略ブロック図である。図２に示すように、注文受付装置１は、画像を表す画像データの記録制御および表示制御等の各種制御を行うとともに、装置１を構成する各部の制御を行うＣＰＵ１２と、装置１を動作させるための基本的なプログラムおよび各種定数が記録されているＲＯＭ並びにＣＰＵ１２が処理を実行する際の作業領域となるＲＡＭにより構成されるシステムメモリ１４と、種々の指示を装置１に対して行うためのタッチパネル式の入力部１６と、上述した表示部６とを備える。
【００２６】
また、注文受付装置１は、上述したカードスロット４と、画像データをＪＰＥＧに代表される手法で圧縮したり、圧縮した画像データを解凍する圧縮解凍部２２と、メモリカード２から読み出した画像データが表す画像のＣＤへの記録等の注文を行うための注文プログラム等のＣＰＵ１２が実行する各種プログラム等を記録するハードディスク２４と、システムメモリ１４、カードスロット４およびハードディスク２４を制御するメモリ制御部２６と、表示部６の表示を制御する表示制御部２８と、ＣＤドライブ８およびプリンタ１０を装置１に接続するためのインターフェース（Ｉ／Ｆ）３０とを備える。
【００２７】
なお、カードスロット４はメモリカード２の種類に応じて複数用意されているが、図２においては１つのカードスロット４のみを示している。
【００２８】
また、注文受付装置１は、後述するようにメモリカード２に記録された複数の画像のそれぞれから、ユーザがあらかじめパソコンを用いて画像に付与した画像属性を取得する画像属性取得部３２と、後述するように画像の画像属性に基づいて、画像をインデックスプリントする際のプリントの態様および／または画像をＣＤに記録する際の記録の態様を変更する出力態様変更部３４とを備える。
【００２９】
図３は画像を表す画像データのファイル構造を示す図である。図３に示すように画像を表す画像データの画像ファイル１００は、タグ情報１０２と画像データそのものを表す主画像１０４とからなる。
【００３０】
タグ情報１０２には、撮影日を表す撮影日情報、画像の隠し属性、および画像の回転の有無を表す回転属性が記述されている。
【００３１】
撮影日情報は画像を取得したデジタルカメラ等の撮像装置によりタグ情報１０２に記述される。
【００３２】
画像の隠し属性は、画像を所持するユーザが自身のパソコンにおいてタグ情報１０２に記述する。なお、画像の隠し属性は隠し属性が設定された場合に「１」が記述され、設定されていない場合には空欄とされる。また、隠し属性にはパスワードが記述されている。このパスワードについては後述する。なお、本実施形態においては、隠し属性に「１」が記述されている場合に、画像に隠し属性が付与されているものとして説明を行う。
【００３３】
ここで、撮像装置を縦に構えて撮影を行うことにより取得した画像をビューアソフトにて再生した場合、横長の状態にて再生されるため、画像が見にくいものとなる。このため、このような画像についてはユーザはビューアソフトを用いて画像を回転することが多い。回転属性は、縦長にて撮影された画像をユーザがパソコンで９０度回転した場合に記述されるものであり、回転された場合に「１」が記述される。なお、本実施形態においては、回転属性に「１」が記述されている場合に、画像に回転属性が付与されているものとして説明を行う。
【００３４】
以下、画像属性取得部３２および出力態様変更部３４の機能について、第１の実施形態において行われる処理と併せて説明する。
【００３５】
図４は第１の実施形態において行われる処理を示すフローチャートである。ユーザがメモリカード２をカードスロット４に装填し、メモリカード２に記録された画像のＣＤへの記録の注文の指示を入力部１６から行うことによりＣＰＵ１２が処理を開始し、メモリカード２に記録された複数の画像を読み込む（ステップＳＴ１）。次いで、画像属性取得部３２が読み込んだすべての画像のタグ情報１０２に記述された画像属性を取得する（ステップＳＴ２）。
【００３６】
さらに、出力態様変更部３４が、隠し属性が付与された画像について、インデックスプリントには含めないように出力態様を変更する（ステップＳＴ３）。次いで、出力態様変更部３４は、隠し属性が付与された画像以外の画像のサムネイル画像をファイル名順に並べたインデックスプリント用のプリントデータを生成し（ステップＳＴ４）、これをプリンタ１０に送信する（ステップＳＴ５）。この際、回転属性が付与された画像は、回転してインデックスプリントに含めるようにする。
【００３７】
また、出力態様変更部３４は、メモリカード２から読み出したすべての画像をＣＤドライブ８に送信する（ステップＳＴ６）。この際、回転属性が付与された画像については回転してＣＤドライブ８に送信する。これにより、プリンタ１０は、隠し属性が付与された画像以外の画像のサムネイル画像をファイル名順に並べたインデックスプリントをプリント出力し（ステップＳＴ７）、ＣＤドライブ８は、メモリカード２から読み出されたすべての画像をＣＤに記録し（ステップＳＴ８）、処理を終了する。なお、画像をＣＤに記録する際にはタグ情報１０２についてもそのまま記録される。
【００３８】
ここで、図５（ａ）に示すように１０の画像Ｇ１〜Ｇ１０がメモリカード２から読み出された場合において、画像Ｇ２〜Ｇ４に隠し属性が付与されていたとすると、インデックスプリントには、図５（ｂ）に示すように、画像Ｇ２〜Ｇ４を除いた画像のサムネイル画像が含まれることとなる。
【００３９】
ユーザは、画像が記録されたＣＤおよびインデックスプリントを受け取り、ＣＤに記録された画像をパソコンにおいてビューアソフトを用いて再生したり、インデックスプリントを見て楽しむことができる。ここで、ＣＤに記録された画像をパソコンにおいて再生するに際し、隠し属性が付与された画像については、再生しないようにビューアソフトを設定することができる。この場合、パスワードを入力することにより、隠し属性が付与された画像を再生するようにビューアソフトを設定することもできる。
【００４０】
このように、本実施形態によれば、画像に付与された画像属性に基づいて、複数の画像をインデックスプリントする際のプリントの態様および／または複数の画像を記録媒体に記録する際の記録の態様を変更し、変更された態様にて複数の画像を並べたインデックスプリントを出力するようにしたものである。このため、画像を所有するユーザは画像の画像属性を指定しておくことにより、ユーザの意志を反映させて、インデックスプリントを作成することができる。
【００４１】
とくに、画像属性を画像の隠し属性を含むものとした場合において、隠し属性が付与された画像については、インデックスプリントに含めないようにプリントの態様を変更することにより、撮影に失敗した画像や他人に見せたくない画像に隠し属性を付与しておけば、そのような画像がインデックスプリントに含められることがなくなり、その結果、そのような画像が他人に見られてしまうことを防止することができる。
【００４２】
次いで、本発明の第２の実施形態について説明する。なお、第２の実施形態においては、出力態様変更部３４において行われる処理が第１の実施形態と異なるのみであり、装置の構成については第１の実施形態と同一であるため、ここでは詳細な説明は省略する。上記第１の実施形態においては、隠し属性が付与された画像をインデックスプリントに含めないようにしているが、第２の実施形態においては、インデックスプリントに含めないようにするとともに、ＣＤにも記録しないようにした点が第１の実施形態と異なる。
【００４３】
図６は第２の実施形態において行われる処理を示すフローチャートである。ユーザがメモリカード２をカードスロット４に装填し、メモリカード２に記録された画像のＣＤへの記録の注文の指示を入力部１６から行うことによりＣＰＵ１２が処理を開始し、メモリカード２に記録された複数の画像を読み込む（ステップＳＴ１１）。次いで、画像属性取得部３２が読み込んだすべての画像のタグ情報１０２に記述された画像属性を取得する（ステップＳＴ１２）。
【００４４】
さらに、出力態様変更部３４が、隠し属性が付与された画像について、ＣＤに記録しないようにするとともに、インデックスプリントにも含めないように出力態様を変更する（ステップＳＴ１３）。次いで、出力態様変更部３４は、隠し属性が付与された画像以外の画像のサムネイル画像をファイル名順に並べたインデックスプリント用のプリントデータを生成し（ステップＳＴ１４）、これをプリンタ１０に送信する（ステップＳＴ１５）。この際、回転属性が付与された画像は、回転してインデックスプリントに含めるようにする。
【００４５】
また、出力態様変更部３４は、メモリカード２から読み出した画像のうち、隠し属性が付与された画像以外の画像をＣＤドライブ８に送信する（ステップＳＴ１６）。この際、回転属性が付与された画像については回転してＣＤドライブ８に送信するようにする。これにより、プリンタ１０は、隠し属性が付与された画像以外の画像のサムネイル画像をファイル名順に並べたインデックスプリントをプリント出力し（ステップＳＴ１７）、ＣＤドライブ８は、メモリカード２から読み出された画像のうち、隠し属性が付与された画像以外の画像をＣＤに記録し（ステップＳＴ１８）、処理を終了する。なお、画像をＣＤに記録する際にはタグ情報１０２についてもそのまま記録される。
【００４６】
このように、第２の実施形態においては、隠し属性が付与された画像については、ＣＤの記録に含めないように記録の態様を変更するようにしたため、撮影に失敗した画像や他人に見せたくない画像に隠し属性を付与しておけば、そのような画像が記録媒体に記録されてしまうことがなくなり、その結果、画像を再生した際にそのような画像が他人に見られてしまうことを防止することができる。
【００４７】
次いで、本発明の第３の実施形態について説明する。なお、第３の実施形態においては、出力態様変更部３４において行われる処理が第１の実施形態と異なるのみであり、装置の構成については第１の実施形態と同一であるため、ここでは詳細な説明は省略する。上記第１の実施形態においては、隠し属性が付与された画像をインデックスプリントに含めないようにしているが、第３の実施形態においては、隠し属性が付与された画像をＣＤに記録しないようにした点が第１の実施形態と異なる。
【００４８】
図７は第３の実施形態において行われる処理を示すフローチャートである。ユーザがメモリカード２をカードスロット４に装填し、メモリカード２に記録された画像のＣＤへの記録の注文の指示を入力部１６から行うことによりＣＰＵ１２が処理を開始し、メモリカード２に記録された複数の画像を読み込む（ステップＳＴ２１）。次いで、画像属性取得部３２が読み込んだすべての画像のタグ情報１０２に記述された画像属性を取得する（ステップＳＴ２２）。
【００４９】
さらに、出力態様変更部３４が、隠し属性が付与された画像について、ＣＤに記録しないように出力態様を変更する（ステップＳＴ２３）。次いで、出力態様変更部３４は、メモリカード２から読み出したすべての画像のサムネイル画像をファイル名順に並べたインデックスプリント用のプリントデータを生成し（ステップＳＴ２４）、これをプリンタ１０に送信する（ステップＳＴ２５）。この際、回転属性が付与された画像は、回転してインデックスプリントに含めるようにする。
【００５０】
また、出力態様変更部３４は、メモリカード２から読み出した画像のうち、隠し属性が付与された画像以外の画像をＣＤドライブ８に送信する（ステップＳＴ２６）。この際、回転属性が付与された画像については回転してＣＤドライブ８に送信するようにする。これにより、プリンタ１０は、メモリカード２から読み出したすべての画像のサムネイル画像をファイル名順に並べたインデックスプリントをプリント出力し（ステップＳＴ２７）、ＣＤドライブ８は、メモリカード２から読み出された画像のうち、隠し属性が付与された画像以外の画像をＣＤに記録し（ステップＳＴ２８）、処理を終了する。なお、画像をＣＤに記録する際にはタグ情報１０２についてもそのまま記録される。
【００５１】
なお、上記第１から第３の実施形態において、インデックスプリント用の隠し属性と、ＣＤ書き込み用の隠し属性とを別個に記述するようにしてもよい。具体的には、図８に示すように、タグ情報１０２にインデックスプリント用の隠し属性１と、ＣＤ書き込み用の隠し属性２とを記述できるようにすればよい。この場合、隠し属性１，２のそれぞれに「１」が記述されているか否かに応じて、隠し属性が付与された画像をインデックスプリントに含めないようにしたり、ＣＤに記録しないように出力態様を変更すればよい。
【００５２】
また、上記実施形態においては、ユーザがあらかじめパソコンにおいて画像に画像属性を付与しているが、注文受付装置１において画像属性を画像に付与するようにしてもよい。具体的には、メモリカード２から読み出したすべての画像の一覧を表示部６に表示し、ユーザが選択した画像に隠し属性を付与したり、一覧において回転した画像に回転属性を付与すればよい。
【００５３】
ここで、上述した注文受付装置１においては、メモリカード２から読み出した画像のプリント出力の注文を行うことも可能である。また、プリント出力の注文と画像のＣＤへの記録の注文の双方を同時に行うことも可能である。このような場合、プリント出力を行った画像については、画像属性として、プリント出力結果を表すプリント属性を記述してＣＤに記録するようにしてもよい。
【００５４】
図９はタグ情報１０２にプリント属性が記述された画像ファイルのファイル構造を示す図である。図９に示すように、タグ情報１０２には、撮影日を表す撮影日情報、画像の隠し属性、過去に行われたプリント出力結果を表すプリント属性、および画像の回転の有無を表す回転属性が含まれている。
【００５５】
プリント属性はプリントが行われた場合に「１」が記述される。また、プリント枚数およびプリントサイズを記述してもよい。なお、本実施形態においてはプリント属性に「１」が記述されている場合に、画像にプリント属性が付与されているものとして説明を行う。
【００５６】
ここで、例えば複数のＣＤに記録された画像から選択した画像をまとめて１枚のＣＤに記録したい場合には、ユーザはメモリカード２に複数のＣＤから選択した画像を記録し、注文受付装置１を用いてメモリカード２から読み出した画像をＣＤに記録すればよい。
【００５７】
このような場合において、インデックスプリントを出力する際に、プリント属性が付与された画像については、サムネイル画像のサイズを大きくしてインデックスプリントに含めるようにしてもよい。以下、これを第４の実施形態として説明する。
【００５８】
なお、第４の実施形態においては、出力態様変更部３４において行われる処理が第１の実施形態と異なるのみであり、装置の構成については第１の実施形態と同一であるため、ここでは詳細な説明は省略する。図１０は第４の実施形態において行われる処理を示すフローチャートである。ユーザがメモリカード２をカードスロット４に装填し、メモリカード２に記録された画像のＣＤへの記録の注文の指示を入力部１６から行うことによりＣＰＵ１２が処理を開始し、メモリカード２に記録された複数の画像を読み込む（ステップＳＴ３１）。次いで、画像属性取得部３２が読み込んだすべての画像のタグ情報１０２に記述された画像属性を取得する（ステップＳＴ３２）。
【００５９】
さらに、出力態様変更部３４が、プリント属性が付与された画像については、インデックスプリントに拡大して含めるように出力態様を変更する（ステップＳＴ３３）。次いで、出力態様変更部３４は、プリント属性が付与された画像については拡大したサムネイル画像をファイル名順に並べたインデックスプリント用のプリントデータを生成し（ステップＳＴ３４）、これをプリンタ１０に送信する（ステップＳＴ３５）。この際、回転属性が付与された画像は、回転してインデックスプリントに含めるようにする。
【００６０】
また、出力態様変更部３４は、メモリカード２から読み出したすべての画像をＣＤドライブ８に送信する（ステップＳＴ３６）。この際、回転属性が付与された画像については回転してＣＤドライブ８に送信するようにする。これにより、プリンタ１０は、プリント属性が付与された画像のサムネイル画像が拡大されたインデックスプリントをプリント出力し（ステップＳＴ３７）、ＣＤドライブ８は、メモリカード２から読み出されたすべての画像をＣＤに記録し（ステップＳＴ３８）、処理を終了する。なお、画像をＣＤに記録する際にはタグ情報１０２についてもそのまま記録される。
【００６１】
ここで、図１１（ａ）に示すように１０の画像Ｇ１〜Ｇ１０がメモリカード２から読み出された場合において、画像Ｇ２，Ｇ８にプリント属性が付与されていたとすると、インデックスプリントには図１１（ｂ）に示すように、画像Ｇ２，Ｇ８のみが拡大されたサムネイル画像が含まれることとなる。
【００６２】
ここで、過去にプリント出力を行った画像は、ユーザが重要であると考えている画像であることが多い。このため、プリント属性が付与された画像を拡大してインデックスプリントに含めるようにプリントの態様を変更することにより、ユーザが重要と考える画像が目立つようにインデックスプリントを作成することができる。
【００６３】
なお、上記第４の実施形態においては、プリント属性にプリント枚数が記述されている場合には、プリント枚数が多いほどインデックスプリントに含めるサムネイル画像のサイズを大きくするようにしてもよい。
【００６４】
また、上記第１から第４の実施形態においては、本発明による画像出力装置を注文受付装置に用いているが、本発明による画像出力装置を単体で用いてもよい。
【００６５】
また、上記第１から第４の実施形態においては、画像をＣＤに記録しているが、ＤＶＤや他のメモリカード等、他の光学的あるいは磁気的な記録媒体に画像を記録するようにしてもよい。
【００６６】
以上、本発明の実施形態に係る装置について説明したが、コンピュータを、上記の画像属性取得部３２および出力態様変更部３４に対応する手段として機能させ、図４，６，７，１０に示すような処理を行わせるプログラムも、本発明の実施形態の１つである。また、そのようなプログラムを記録したコンピュータ読取り可能な記録媒体も、本発明の実施形態の１つである。また、このようなプログラムを、画像を閲覧するためのビューアソフトに組み込むようにしてもよい。
【図面の簡単な説明】
【００６７】
【図１】本発明の第１の実施形態による画像出力装置を適用した注文受付装置の外観斜視図
【図２】本発明の第１の実施形態による注文受付装置の構成を示す概略ブロック図
【図３】画像を表す画像データのファイル構造を示す図（その１）
【図４】第１の実施形態において行われる処理を示すフローチャート
【図５】第１の実施形態におけるインデックスプリントの態様を示す図
【図６】第２の実施形態において行われる処理を示すフローチャート
【図７】第３の実施形態において行われる処理を示すフローチャート
【図８】画像を表す画像データのファイル構造を示す図（その２）
【図９】画像を表す画像データのファイル構造を示す図（その３）
【図１０】第４の実施形態において行われる処理を示すフローチャート
【図１１】第４の実施形態におけるインデックスプリントの態様を示す図
【符号の説明】
【００６８】
１    注文受付装置
２    メモリカード
４    カードスロット
６    表示部
８    ＣＤドライブ
１０    プリンタ
１２    ＣＰＵ
１４    システムメモリ
１６    入力部
２２    圧縮解凍部
２４    ハードディスク
２６    メモリ制御部
２８    表示制御部
３０    インターフェース
３２    画像属性取得部
３４    出力態様変更部
【図１】
2007216487.tif 000003
【図２】
2007216487.tif 000004
【図３】
2007216487.tif 000005
【図４】
2007216487.tif 000006
【図５】
2007216487.tif 000007
【図６】
2007216487.tif 000008
【図７】
2007216487.tif 000009
【図８】
2007216487.tif 000010
【図９】
2007216487.tif 000011
【図１０】
2007216487.tif 000012
【図１１】
2007216487.tif 000013